(57)【要約】【課題】  待機状態の利便性を保ちつつ、待機状態の報知機能、及び、その待機時の消費電力量を削減する待機状態表示装置及び待機状態制御方法を提供すること。【解決手段】  装置本来の動作を行っていない状態でも電源を切らずに維持する待機状態時に点灯するＬＥＤ（２９ｂ，３１，３３）を備えた待機状態表示装置において、ＬＥＤの点灯状態は、待機状態時において、第１の発光量（ｔ０−ｔ１）で点灯する待機モード（Ｓ５）と、第１の発光量よりも減光した第２の発光量（ｔ１−ｔ２）で点灯する減光モード（Ｓ４）と、に切換え可能とする。また、その待機状態制御方法において、ＬＥＤは、待機状態時に、第１の発光量で点灯する待機モード点灯工程と、第１の発光量よりも減光した第２の発光量で点灯する減光モード点灯工程と、を有する。【選択図】  図３
2006179619.tif 000002
【特許請求の範囲】
【請求項１】
装置本来の動作を行っていない状態でも電源を切らずに維持する待機状態時に点灯するＬＥＤを備えた待機状態表示装置において、
前記ＬＥＤの点灯状態は、前記待機状態時において、第１の発光量で点灯する待機モードと、該第１の発光量よりも減光した第２の発光量で点灯する減光モードと、に切換え可能であることを特徴とする待機状態表示装置。
【請求項２】
前記待機状態表示装置の周囲の明るさを検知する照度検知部を有し、
前記待機モードと前記減光モードとの切換えは、前記照度検知部の検知信号に基づいて実行することを特徴とする請求項１に記載の待機状態表示装置。
【請求項３】
前記待機状態表示装置の周囲にユーザーが存在することを検知するユーザー存在検知部を有し、
前記ユーザー存在検知部からの検知信号が前記ユーザーの存在を示す場合には、前記ＬＥＤの点灯状態を前記待機モードとし、
前記ユーザー存在検知部からの検知信号が前記ユーザーの存在を示さない場合には、前記ＬＥＤの点灯状態を前記減光モードとする、
ことを特徴とする請求項１に記載の待機状態表示装置。
【請求項４】
前記待機状態表示装置をユーザーが過去に使用した使用時間を記憶する記録媒体を有し、
前記待機状態にある現在時刻が前記使用時間に該当する場合には、前記ＬＥＤの点灯状態を前記待機モードとし、
前記待機状態にある現在時刻が前記使用時間に該当しない場合には、前記ＬＥＤの点灯状態を前記減光モードとする
ことを特徴とする請求項１に記載の待機状態表示装置。
【請求項５】
前記第２の発光量は、前記第１の発光量よりも単位時間内の発光時間が少ないことを特徴とする請求項１乃至４の何れか１項に記載の待機状態表示装置。
【請求項６】
待機状態表示装置本来の動作を行っていない状態でも電源を切らずに維持する待機状態時に点灯するＬＥＤを有する待機状態表示装置の待機状態制御方法において、
前記ＬＥＤは、前記待機状態時に、第１の発光量で点灯する待機モード点灯工程と、
該第１の発光量よりも減光した第２の発光量で点灯する減光モード点灯工程と、
を有することを特徴とする待機状態制御方法。
【請求項７】
前記待機状態表示装置の周囲の明るさを検知する照度検知工程と、
前記照度検知工程にて検知した信号に基づき、前記待機モード点灯工程を行うか、前記減光モード点灯工程を行うかを決定するモード判定工程と、
を有することを特徴とする請求項６に記載の待機状態制御方法。
【請求項８】
前記待機状態表示装置の周囲にユーザーが存在するかことを検出するユーザー検知工程を有し、
前記ユーザー検知工程にて前記ユーザーの存在を検知した場合には、前記待機モード点灯工程を実行し、
前記ユーザー検知工程にて前記ユーザーの存在を検知しない場合には、前記減光モード点灯工程を実行する、
ことを特徴とする請求項６に記載の待機状態制御方法。
【請求項９】
前記待機状態表示装置をユーザーが過去に使用した使用時間を記録媒体から読み出す使用時間読出工程と、
前記待機状態にある現在時刻が前記使用時間に該当する場合には、前記待機モード点灯工程を実行し、
前記待機状態にある現在時刻が前記使用時間に該当する場合には、前記減光モード点灯工程を実行する、
ことを特徴とする請求項６に記載の待機状態制御方法。
【請求項１０】
前記第２の発光量は、前記第１の発光量よりも単位時間内の発光時間が少ないことを特徴とする請求項６乃至９の何れか１項に記載の待機状態制御方法。
【発明の詳細な説明】
【技術分野】
【０００１】
本発明は、オフィスや家庭の電化製品の待機電力を削減する待機状態表示装置及びその待機状態制御方法に関する。
【背景技術】
【０００２】
オフィスや家庭の電化製品、例えば、テレビジョン受像機、オーディオ機器、録音録画機器、エアーコンディショナー、炊飯器、電話、ファクシミリ、プリンタ、コピー、パーソナルコンピュータ、ディスプレイモニター等の装置においては、種々の利便性から装置本来の動作を行っていない状態でも電源を切らずに維持する、所謂待機状態（スタンバイ状態）とする機能を備えるものが増えている。
【０００３】
待機状態の例としては、例えば、テレビジョン受像機（以下、「テレビ」と略記する）の場合は、例えば、主電源をオン状態に維持しつつ、リモートコントロール装置にてテレビ本来の映像表示機能をオフする場合や、主電源をオン状態に維持しつつ、所定時間後に映像表示機能を開始するスリープタイマー機能をセットした場合などがある。
【０００４】
待機状態となっている場合には、ユーザーがその状態を認識していないと誤操作の原因となるため、係る待機状態であることをユーザーに報知し、ご操作を防止するため、主電源スイッチのオン・オフ状態の報知に用いられる発光ダイオード（以下、「ＬＥＤ」と記す）の輝度を待機状態とそうでない場合で変化させる技術が知られている（第１の従来技術、例えば、特許文献１参照）。
【０００５】
また、主電源スイッチのオン・オフ状態の報知に用いられる発光ダイオードの他にパイロットランプとしてのＬＥＤを設け、待機状態では主電源スイッチ用のＬＥＤをオフし、パイロットランプ用ＬＥＤを点灯することで報知する技術が知られている（第２の従来技術、例えば、特許文献２参照）。
【特許文献１】特開昭６３−２５６９４号公報
【特許文献２】特開平１１−２８９５０２号公報
【発明の開示】
【発明が解決しようとする課題】
【０００６】
上記第１、第２の従来技術によれば、待機状態になっていることは報知できる。しかしながら、第１、第２の従来技術では、待機状態の間は常に報知用のＬＥＤを点灯し続けるためにその分の電力消費を強いられる。特に、待機状態とする場合は、リモコンで電源を切って外出する場合や、目覚ましタイマー、留守録画タイマーなどの機能を利用する場合等が多く、待機状態が長時間となり、待機時の電力消費量もそれだけ多くなっている。特に、装置の利便性の向上を高める技術開発が進む今日では、待機状態を利用する装置や、待機状態を利用する機能を増やす装置が増える傾向にあり、省電力化に逆行することとなっている。
【０００７】
本発明は、上記従来の問題点に鑑みてなされたものであり、待機状態の利便性を保ちつつ、待機状態の報知機能、及び、その待機時の消費電力量を削減する待機状態表示装置及び待機状態制御方法を提供することを目的とする。
【課題を解決するための手段】
【０００８】
本発明は、上記の目的を達成するため、次の構成を有する。
本発明の第１の要旨は、装置本来の動作を行っていない状態でも電源を切らずに維持する待機状態時に点灯するＬＥＤを備えた待機状態表示装置において、ＬＥＤの点灯状態は、待機状態時において、第１の発光量で点灯する待機モードと、第１の発光量よりも減光した第２の発光量で点灯する減光モードと、に切換え可能であることを特徴とする。
【０００９】
本発明の第２の要旨は、待機状態表示装置の周囲の明るさを検知する照度検知部を有し、待機モードと減光モードとの切換えは、照度検知部の検知信号に基づいて実行することを特徴とする要旨１に記載の待機状態表示装置にある。
【００１０】
本発明の第３の要旨は、待機状態表示装置の周囲にユーザーが存在することを検知するユーザー存在検知部を有し、ユーザー存在検知部からの検知信号がユーザーの存在を示す場合にはＬＥＤの点灯状態を待機モードとし、ユーザー存在検知部からの検知信号がユーザーの存在を示さない場合にはＬＥＤの点灯状態を減光モードとすることを特徴とする要旨１に記載の待機状態表示装置にある。
【００１１】
本発明の第４の要旨は、待機状態表示装置をユーザーが過去に使用した使用時間を記憶する記録媒体を有し、待機状態にある現在時刻が使用時間に該当する場合にはＬＥＤの点灯状態を待機モードとし、待機状態にある現在時刻が使用時間に該当しない場合にはＬＥＤの点灯状態を減光モードとすることを特徴とする要旨１に記載の待機状態表示装置にある。
【００１２】
本発明の第５の要旨は、第２の発光量は第１の発光量よりも単位時間内の発光時間が少ないことを特徴とする要旨１乃至４の何れかに記載の待機状態表示装置にある。
【００１３】
本発明の第６の要旨は、待機状態表示装置本来の動作を行っていない状態でも電源を切らずに維持する待機状態時に点灯するＬＥＤを有する待機状態表示装置の待機状態制御方法において、ＬＥＤは、待機状態時に、第１の発光量で点灯する待機モード点灯工程と、第１の発光量よりも減光した第２の発光量で点灯する減光モード点灯工程と、を有することを特徴とする。
【００１４】
本発明の第７の要旨は、待機状態表示装置の周囲の明るさを検知する照度検知工程と、照度検知工程にて検知した信号に基づき、待機モード点灯工程を行うか、減光モード点灯工程を行うかを決定するモード判定工程と、を有することを特徴とする要旨６に記載の待機状態制御方法にある。
【００１５】
本発明の第８の要旨は、待機状態表示装置の周囲にユーザーが存在することを検出するユーザー検知工程を有し、ユーザー検知工程にてユーザーの存在を検知した場合には待機モード点灯工程を実行し、ユーザー検知工程にてユーザーの存在を検知しない場合には減光モード点灯工程を実行することを特徴とする要旨６に記載の待機状態制御方法にある。
【００１６】
本発明の第９の要旨は、待機状態表示装置をユーザーが過去に使用した使用時間を記録媒体から読み出す使用時間読出工程と、待機状態にある現在時刻が使用時間に該当する場合には待機モード点灯工程を実行し、待機状態にある現在時刻が使用時間に該当しない場合には減光モード点灯工程を実行する、ことを特徴とする要旨６に記載の待機状態制御方法にある。
【００１７】
本発明の第１０の要旨は、第２の発光量は第１の発光量よりも単位時間内の発光時間が少ないことを特徴とする要旨６乃至９の何れかに記載の待機状態制御方法にある。
【発明の効果】
【００１８】
本発明の第１、６の要旨によれば、待機状態時において第１の発光量で点灯する必要のない場合に減光して第２の発光量で点灯できるので、待機状態時においてＬＥＤの報知機能を確保しつつＬＥＤの消費電力を抑えることができる。従って、待機状態の利便性を保ちつつ、待機状態の報知機能、及び、その待機時の消費電力量を削減する待機状態表示装置及び待機状態制御方法を提供できた。
【００１９】
例えば、待機状態表示装置の周囲が明るい状態と暗い状態では、その周囲の明るさに対するＬＥＤの発光色のコントラスト（明暗の差）が異なり、ＬＥＤの発光量が同じ場合、色周囲が暗いほどコントラストが高くなり、明るくなりほどコントラストが低くなる。従って、暗い状態となった場合には、ＬＥＤの発光量を報知機能が損なわない程度まで減らすことができる。従って、本発明の第２、７の要旨によれば、待機状態表示装置の周囲が暗くなった場合には減光した第２の発光量で第１の発光量と同等の報知機能を発揮でき、また、第２の発光量を周囲の明るさで報知機能を損なわない程度まで減らすことができ、待機時の消費電力量を削減できる。
【００２０】
また、待機状態を報知するＬＥＤは、あくまでユーザーに待機状態となっていることを報知するものであり、ユーザーが待機状態表示装置周辺に存在しなければ報知機能は意味をなさず、発光量を減らしても問題はない。そこで、本発明の第３、８の要旨によれば、待機状態表示装置の周囲にユーザーが不在であることを検知した場合に、第２の発光量を報知機能を損なわない程度まで減らすことで待機時の消費電力量を削減できる。
【００２１】
また、待機状態表示装置の使用時間帯は、ユーザーの生活スタイルに依存される。そこで、本発明の第４、９の要旨によれば、使用時間以外の時間に待機状態となっている場合には就寝時や出勤中である可能性が高いので、待機状態にある現在時刻が使用時間外に該当する場合には、ＬＥＤの点灯状態を第２の発光量に減光することで待機時の消費電力量を削減できる。
【００２２】
また、本発明の第５、１０の要旨によれば、第１の発光量に対する第２の発光量の減光量制御が容易とできる。
【発明を実施するための最良の形態】
【００２３】
本発明の実施の形態について、待機状態（スタンバイ状態）機能を備える装置としてテレビを例に、図面を参照しつつ説明する。図１は、本発明の実施の形態に係るテレビ１の概略ブロック図である。図２は、係るテレビ１の正面図とリモコン送信機３９の斜視図である。
【００２４】
図１に示すように、テレビ１は、映像信号を受信するためのアンテナ３と、受信信号から希望チャネルを選択、中間周波数信号に変換するチューナー５と、希望チャネルの映像信号を表示するための所定の処理を行う映像処理回路７と、該映像処理回路７からのデータを表示する表示パネル９と、受信した映像信号から時刻情報を取得する時刻処理回路１１と、テレビ１全体を制御する制御回路（マイコン）１３と、テレビ１の主電源１５と、テレビ１周辺の種々の情報を収集するための各種センサー１７、１９、２１と、リモコン送信機３９（図２、以下、「リモコン」と略記する）からの送信信号を受信するためのリモコン信号受信部２３と、ＬＥＤ減光モードでの減光量を保存するデューティー設定用テーブル２５と、記録媒体２６と、時計用クロック２７と、各種報知用ＬＥＤ２９ａ、２９ｂ、３１、３３と、前記報知用ＬＥＤ２９ａ、２９ｂ、３１、３３に順方向電流を流すために電源回路３５と、制御回路１３からの信号に基づき電源回路３５と各ＬＥＤ２９ａ、２９ｂ、３１、３３間の導通をＯＮ／ＯＦＦする各ＬＥＤ毎に設けられえたスイッチ群３７を有する。
【００２５】
＜センサー＞
各種センサー１７、１９、２１は、其々、テレビ１周辺の明るさ（照度）を取得する照度センサー１７と、テレビ１周辺の雑音を検知するためのノイズセンサー１９と、テレビ１周辺の赤外線を検知するための赤外線センサー２１である。
【００２６】
照度（明るさ）センサー１７は、光電変換特性を利用したものであればよく、例えば、フォトダイオード、フォトトランジスター、ＣｄＳセル等を用いることができる。本実施形態では、図２に示すように、テレビ１の表示パネル枠９ａの表面に向かって右下に設けてあるリモコン信号受信部２３に近接して設けている。リモコン信号受信部２３に近接して設けることで、照度センサー１７の正面に障害物を置かれる危険性を回避できる。室内の照明位置を考慮するとテレビ上面に設けてもよい。さらに、検知効率を高めるためにテレビ１本体から離れた位置に設け、有線或は無線にて制御回路１３に検知信号を送信することもできる。また、照度センサー１７は複数設けてもよい。
【００２７】
ノイズセンサー１９は、音を検出可能なマイクロフォンであればよく、マイクロフォンの変換方式は問わず、動電型、静電型、圧電型のいづれでもよい。取り付け位置は、図２に示すようにテレビ１の表示パネル枠９ａの表面に設けているが、照度センサー１７と同様に設置位置、設置数は限定するものではない。
【００２８】
赤外線センサー２１は、人体検知に適した、例えば、照電型赤外線センサーが適しているが、それに制限するものではなく、例えば、ユーザーが他の装置の遠隔制御用に用いるリモコン操作により発信される赤外線を検知する赤外線センサーであってもよい。取り付け位置は、図２に示すようにテレビ１の表示パネル枠９ａの表面に設けているが、照度センサー１７と同様に設置位置、設置数は限定するものではない。
【００２９】
＜報知用ＬＥＤ＞
各種報知用ＬＥＤ２９ａ、２９ｂ、３１、３３は、電源用のＬＥＤ２９ａ，２９ｂと、お知らせ用のＬＥＤ３１、３３を設けている。
【００３０】
電源用のＬＥＤ２９ａ，２９ｂは、異なる色で発光するＬＥＤであり、例えば、ＬＥＤ２９ａは緑色ＬＥＤを用い、ＬＥＤ２９ｂは赤色ＬＥＤである。主電源スイッチ１５がＯＦＦの場合には両ＬＥＤは消灯する。主電源をＯＮし、テレビ本来の動作機能である映像（動画、静止画）、画像、情報（文字放送）の表示機能を実行する時（以下、「表示通常モード」と略記する）には、ＬＥＤ２９ａが緑色で発光し、ＬＥＤ２９ｂは消灯する。主電源をＯＮに維持しつつ、リモコン３９のＯＦＦボタン３９ａの押下による待機信号の送信に基づいて、テレビ本来の上記表示機能を実行していない待機状態とした時（以下、「第１の表示待機モード）」と略記する）、ＬＥＤ２９ｂが赤色に発光し、ＬＥＤ２９ａは消灯する。
【００３１】
電源用ＬＥＤ２９ａ，２９ｂは、図２の主電源スイッチ１５の隣りの電源ランプ２９の装置内側に並設されており、電源ランプ２９は発光した電源用ＬＥＤ２９ａ又は２９ｂの発光色で発光する。係る構成とすることで、表示通常モードと第１の表示待機モードを１の電源ランプ２９により報知できるために、報知用ランプ数を減らすことができ、ユーザーにとって表示内容を把握し易くできる。尚、電源用ＬＥＤ２９ａ、２９ｂ毎に電源ランプ２９を２つ表示画面上に設けてもよい。
【００３２】
お知らせ用のＬＥＤ３１は、リモコン３９のＯＦＦボタン３９ａの押下に基づく第１の表示待機信号以外の第２の表示待機信号に基づき、第２の表示待機モードとなっていることを報知するＬＥＤであり、例えば、設定時間後に表示通常モードに復帰するタイマー表示機能の設定に基づく第２の表示待機モードを報知する。
【００３３】
また、テレビ１は本来の動作機能として受信信号の録画機能を有している。従って、テレビ１は、受信する映像、画像、情報の表示機能を実行する表示通常モード（第１の通常モード）と、受信する映像、画像、情報の録画機能を実行する録画通常モード（第２の通常モード）とを有している。
【００３４】
お知らせ用のＬＥＤ３３は、設定時間後に設定されたチャネルの番組等を記録媒体２６に録画（記録）する録画機能の設定（信号）により録画待機モードとなっていることを報知する。記録媒体２６としては、例えば、ハードディスク、ＤＶＤ等のデスク型メモリ、メモリーカード等の半導体メモリ、磁気テープ等を使用できる。
【００３５】
お知らせ用のＬＥＤ３１、３３の取り付け位置は、限定するものではなく、例えば、お知らせ用のＬＥＤ３１のようにテレビ１の主電源スイッチ１５をＯＦＦされることを防ぐために図２に示すように表示パネル枠９ａの電源ランプ２９に近接して設けたり、他の待機モードとの区別をし易くするためにお知らせ用のＬＥＤ３３のようにＬＥＤ３１と離した位置に設けても良い。
【００３６】
＜ＬＥＤ発光制御回路＞
図３（ａ）は、本発明の実施の形態に係る制御回路（マイコン）１３による報知用ＬＥＤ２９ａ、２９ｂ、３１、３３の発光制御の説明図である。報知用ＬＥＤ２９ａ、２９ｂ、３１、３３は、それぞれ、アノード（陽極）端子はスイッチング用のトランジスタ（ＮＰＮ型）３７（各ＬＥＤ毎に設けてある）を介して電源回路３５に接続され、カソード（陰極）端子は接地されている。各ＬＥＤは、対応する各スイッチングトランジスタ３７のベースに所定パルス状のベース電圧Ｓ（ｖ）（コレクタ−エミッタ間を導通させる電圧）が印加され、電源回路３５からＬＥＤに順方法電流が流れることで発光する。従って、制御回路１３が前記パルス電圧Ｓ（ｖ）の印加時間（Ｔ０−Ｔ１）を制御することで各ＬＥＤの発光時間を制御可能としている。
【００３７】
＜ＬＥＤ発光制御方法＞
次に、テレビ１におけるＬＥＤの発光制御を図４、５を参照しつつ説明する。尚、以下、テレビ１が備える本来の機能として表示機能を例に説明する。図４は、テレビ１におけるＬＥＤの発光制御のフローチャートを示しており、図５は電源ランプ２９とお知らせ用ＬＥＤ３３のランプの点灯、発光状態を示している。
【００３８】
（第１の表示待機モードの減光制御）
制御回路１３は、テレビ１の主電源１５がＯＮされており（ステップＳ１）かつ、リモコン３９にてテレビ１が備える本来の機能が待機状態となっているかどうかの判断（Ｓ２）を繰り返す。主電源１５がＯＮされた第１の通常モードの場合には、図５（ａ）の最上部のように、主電源ランプ２９が「緑」に点灯する（お知らせランプ３１は消灯（黒））。次に、リモコン３９のＯＦＦボタン３９ａの押下による待機信号の送信に基づいて表示機能が待機状態となった場合には、図５（ａ）の中段部のように、主電源ランプ２９が「赤」に点灯する。
【００３９】
待機モードとなって報知用ＬＥＤ２９ｂが発光している状態において後述する減光モード判定を行う（ステップＳ３）。後述する減光モード判定条件に合致した場合にはＬＥＤの発光量を待機モードでの発光量に維持し（ステップＳ４）、合致しない場合にはＬＥＤの発光量を減らす減光モードに移る（ステップＳ５）。ＬＥＤ減光モードとなった場合には、図５（ａ）の下段部のように、主電源ランプ２９が「薄赤」に点灯する。
【００４０】
尚、本実施の形態では、第１の通常モード時に図５（ａ）の最上部に示すように主電源ランプ２９を点灯する構成としたが、これに限定するものではなく、消灯してもよい。
【００４１】
（第１、第２の表示待機モードの減光制御）
図５（ｂ）は、第１の表示待機モードに加えて第２の表示待機モードが設定されている場合の電源ランプ２９とお知らせ用ＬＥＤ３３のランプの点灯状態を示している。
【００４２】
図５（ａ）の第１の通常モード時にＯＮタイマーの設定入力により、図５（ｂ）の最上部のようにお知らせランプ３１が「赤」に点灯し、第２の表示待機モードが設定されたことを報知する（主電源ランプ２９は「緑」に点灯）。次に、リモコン３９のＯＦＦボタン３９ａの押下による待機信号の送信に基づいて表示機能が待機状態となった場合には、図５（ｂ）の中段部のように主電源ランプ２９も「赤」に点灯する。
【００４３】
待機モードとなって後述する点灯モード判定条件に合致せず、ＬＥＤ減光モード（Ｓ５）となった場合には、図５（ｂ）の下段部のように主電源ランプ２９及びお知らせランプ３１が共に「薄赤」に点灯する。
【００４４】
尚、図５（ｂ）のお知らせ用ＬＥＤ３３の点灯状態には示していないが、該当する録画機能を実行する録画通常モード（第２の通常モード）中のＬＥＤ３３は、点灯しても消灯状態としてもよい。
【００４５】
上記ＬＥＤ減光モードにより、待機モードとなって発光している報知用ＬＥＤの発光量を減らすことができ、待機状態のＬＥＤによる消費電力を少なく抑えることができる。
【００４６】
＜減光モード判定条件＞
待機モードから減光モードに移行する場合として、テレビ１の周囲が所定の暗さとなった場合（コントラスト型）と、テレビ１の周囲にユーザーが存在しないと判断された場合（不在型）、ユーザーの視聴習慣外の時間に待機状態となっていると判断された場合（視聴習慣外型）、及びそれらを組合せる場合、を想定している。
【００４７】
（コントラスト型）
テレビ１の周囲が明るい状態と暗い状態では、その周囲の明るさに対するＬＥＤの発光色のコントラスト（明暗の差）が異なる。ＬＥＤの発光量が同じ場合、色周囲が暗いほどコントラストが高くなり、明るくなるほどコントラストが低くなる。従って、暗い状態となった場合には、ＬＥＤの発光量を報知機能を損なわない程度まで減らすことができる。そこで、本実施形態では、制御回路１３が照度センサー１７から入力されるデータに基づき、周囲が所定明るさ以下となったと判断した時には、減光モード（Ｓ５）に切り替える。尚、テレビ１の周囲が暗い場合としては、夜間の場合もあるので時計用クロック２７からの現在時間も判断情報とできる。
【００４８】
（不在型）
また、待機状態を報知するＬＥＤは、あくまでユーザーに待機状態となっていることを報知するものであり、ユーザーがテレビ１周辺に存在しなければ報知機能は意味をなさず、発光量を減らしても問題はない。そこで、制御回路１３がノイズセンサー１９、赤外線センサー２１、及び時計用クロック２７から入力されるデータに基づき、テレビ１周囲にユーザーが存在しない（不在）と判断した時には、減光モード（Ｓ５）に切り替える。ユーザー不在判断基準は、例えば、ノイズセンサー１９と時計用クロック２７によりテレビ周辺で音を所定時間検知しない場合や、赤外線センサー２１と時計用クロック２７によりテレビ周辺の赤外線成分（人体の赤外線、ユーザーが操作するリモコンの赤外線）を所定時間検知しない場合や、或はそれらを組合せた場合等がある。
【００４９】
（視聴習慣外型）
テレビ１の視聴時間帯は、ユーザーの生活スタイル（就寝時間帯、出勤時間帯）に依存される。例えば、就寝時間が昼間の場合には、テレビの視聴時間帯は夕方から朝方までのように一定期間の視聴データの統計から生活スタイルに依存する視聴時間帯を求めることができ、逆に視聴しない就寝時間帯を求めることができる。そこで、制御回路１３が記録媒体２６（図１）に記録された就寝時間帯データと時計用クロック２７の現在時間に基づき、就寝時間帯に所定時間待機モードが続いた場合には減光モード（Ｓ５）に切り替える。就寝時間帯や出勤時間帯等の不使用時間帯のデータは、ユーザーが設定してもよく、制御回路１３が一定期間の視聴時間を蓄え、統計より求めてもよい。尚、生活スタイル（不使用時間帯）は、曜日等に依存する場合があるので係る不規則性も統計データに反映させることが有効である。
【００５０】
＜ＬＥＤ減光モード＞
ＬＥＤ減光モード（Ｓ５）では、制御回路１３がセンサー１７、１９、２１からの検知信号、及び／又は、記録媒体２６に記録された不使用時間帯データと、上記減光モード移行条件内容に基づき、デューティー設定用テーブル２５に格納された最適ベース電圧印加時間を読み出し、係るベース電圧印加時間により各待機モードで発光しているＬＥＤに対応するスイッチングトランジスタ３７に印加するベース電圧Ｓ（ｖ）の印加時間を制限する。
【００５１】
図４（ｂ）、（ｃ）は、各々、ステップＳ５での減光モードのフローチャートを示している。
【００５２】
図４（ｂ）は、減光モード判定条件がコントラスト型やその組合せの条件に合致した場合のフローチャートを示している。係る判定条件に基づく場合、制御回路１３は、少なくとも照度センサー１７のデータを入力し（ステップＳ６）、デューティー設定用テーブル２５より明るさデータに対応したデューティー量（発光量）を設定し（ステップＳ７）、係るデューティー量にて待機モードのＬＥＤ発光量を少なくする（ステップＳ８）。
【００５３】
図４（ｃ）は、減光モード判定条件が不在型や視聴習慣外型やその組合せの条件に合致した場合のフローチャートを示している。減光モード判定条件では、ノイズセンサー１９、赤外線センサー２１、時計用クロック２７、及び／又は記録媒体２６（図１）に記録された不使用時間帯データに基づいて、デューティー設定用テーブル２５より係る入力データに対応したデューティー量（発光量）を設定し（ステップＳ９）、係るデューティー量にて待機モードのＬＥＤ発光量を少なくする（ステップＳ１０）。
【００５４】
上記ステップＳ８，Ｓ１０の減光モード実行時において、減光モード判定条件を満たさなくなった場合には、すなわち、テレビ１の周囲が所定以上の明るさとなった場合や、テレビ１の周囲にユーザーの存在を検知した場合や、ユーザーの視聴習慣の時間となった場合には、ＬＥＤを待機モードの発光量に復帰させる。
【００５５】
図３（ｂ）は、制御回路１３が待機モードから減光モードに移行する場合のベース電圧Ｓ（ｖ）の印加状態のタイムチャートを示している。時間［ｔ０−ｔ１］が待機モード（第１の待機状態）にあり、時間［ｔ1−ｔ２］が減光モード（第２の待機状態）となっている。本実施形態では、ベース電圧Ｓ（ｖ）の単位時間当たりのパルス幅（印加時間）を、待機モード時を１００パーセントとして減光モード時を約１０パーセントに減らしており、単位時間当たりの待機消費電力を９０パーセント削減している。
【００５６】
本実施形態に係る減光モードを適用することでテレビ１の待機モード時の消費電力を約９０パーセントも大幅に削減できた。従って、待機状態を利用する多種多様な機能を備える装置が増える傾向にあり、省電力化の推進と逆行する中でも、本実施の形態の減光モードを適用することで、装置の省電力化と機能向上というトレードオフの関係にある効果を同時に奏することができる。また、テレビ周辺の明るさから表示画面の表示を調整する機能を有するテレビの場合には、既に照度センサーを備えているために照度センサーの追加なしにコントラスト型の判定条件の検知ができる。
【００５７】
減光モードの単位時間当たりのパルス幅は、待機モード時の約１０パーセント幅に限定するものではなく、減光モードでの見易さや省電力率を考慮し、約１０パーセント以下や１０パーセント以上に任意に決定できる。
【００５８】
また、減光モード時の単位時間当たりのパルス幅は、減光モード判定条件により制御回路１３がデューティー設定用テーブル２５から最適な値を読み出す構成（可変値）に限定するものではなく、減光モード判定条件に合致しない場合には予め設定されたパルス幅（固定値）としてもよい。パルス幅を固定値とした場合には、デューティー設定用テーブル２５が不要となり、構成を簡単化することができる。
【００５９】
また、減光モードの単位時間当たりのパルス幅は、上記可変値とする場合でも固定値とする場合でも、ユーザーやサービスマンがそのパルス幅を微調整可能とすることで、減光モードの存在をユーザーが認識でき、誤操作を防ぐことが出来、また、ユーザーの見やすい設定値とできる点でユーザーフレンドリーな構成とできる。
【００６０】
また、本実施形態では、ＬＥＤに流れる電流を制御するスイッチとしてトランジスタ（ＮＰＮ型）３５を用いたがこれに限定するものではなく、同様のスイッチング機能が実現できるスイッチであればよい。
【００６１】
また、本実施形態では、回路の簡易化、制御のし易さから、ＬＥＤの待機時消費電力をＬＥＤに流れる電流を制御することで実現したがそれに限定するものではなく、ＬＥＤに印加する電圧の高低を制御してもよい。
【００６２】
また、本実施形態のＬＥＤ発光制御回路や方法を用いる装置はテレビに限定するものではなく、装置本来の動作を行っていない状態でも電源を切らずに維持する、所謂待機状態（スタンバイ状態）とする機能を備えるオフィスや家庭等の電化製品、例えば、オーディオ機器、録音録画機器、エアーコンディショナー、炊飯器、電話、ファクシミリ、プリンタ、コピー、パーソナルコンピュータ、ディスプレイモニター等の装置に使用できる。
【産業上の利用可能性】
【００６３】
本実施形態のＬＥＤ発光制御回路や方法を用いる装置は、装置本来の動作を行っていない状態でも電源を切らずに維持する、所謂待機状態（スタンバイ状態）とする機能を備えるオフィスや家庭等の電化製品、例えば、テレビジョン受像機、オーディオ機器、録音録画機器、エアーコンディショナー、炊飯器、電話、ファクシミリ、プリンタ、コピー、パーソナルコンピュータ、ディスプレイモニター等の装置に使用できる。
【図面の簡単な説明】
【００６４】
【図１】本発明の実施形態に係るテレビ１の概略ブロック図である。
【図２】本発明の実施形態に係るテレビ１の正面図とリモコン３９の斜視図である。
【図３】本発明の実施の形態に係る制御回路１３による報知用ＬＥＤ２９ａ、２９ｂ、３１、３３の発光制御の説明図（ａ）と、制御回路１３が待機モードから減光モードに移行する場合のベース電圧Ｓ（ｖ）の印加状態の説明図（ｂ）である。
【図４】本発明の実施形態に係るテレビ１におけるＬＥＤの発光制御のフローチャートである。
【図５】本発明の実施形態に係る電源ランプ２９とお知らせ用ＬＥＤ３３のランプの点灯、発光状態の説明図である。
【符号の説明】
【００６５】
１  テレビジョン受像機
１３  制御回路（マイコン）
１７  照度センサー
１９  ノイズセンサー
２１  赤外線センサー
２５  デューティー設定用テーブル
２６  記録媒体
２７  クロック
２９ａ，２９ｂ  電源用ＬＥＤ
３１、３３  お知らせ用のＬＥＤ
３５  電源回路
３７  スイッチングトランジスタ
【図１】
2006179619.tif 000003
【図２】
2006179619.tif 000004
【図３】
2006179619.tif 000005
【図４】
2006179619.tif 000006
【図５】
2006179619.tif 000007